(57)【要約】【課題】支柱の接続部のボルト締めされたフランジを覆うようにしてネットが触れても該ネットが破損しないようにしたフランジ防護カバーを提供する。【解決手段】下部支柱２０ａの上端外周面と上部支柱２０ｂの下端外周面にそれぞれ周設されボルト締めすることにより接続されるフランジ２１，２２に覆設するフランジ防護カバーＡであって、軟弾性の素材からなる屈曲自在なシート本体１から形成され、その中央部に該シート本体１を断面円弧状に湾曲させたときその中心軸線に沿うように開設される複数のスリット２を設け、支柱２０の接続部の外周面に各スリット２間の短冊状片部３がフランジ２１，２２の上側面に対し直交するようにシート本体１を配置し、フランジ２１，２２の外周縁に合わせて各短冊状片部３が外側へ湾曲するようにしてシート本体１を該フランジ２１，２２に覆設した。【選択図】図５
2011177466.tif 000002
【特許請求の範囲】
【請求項１】
下部支柱の上端外周面と上部支柱の下端外周面にそれぞれ周設されボルト締めすることにより接続されるフランジに覆設するフランジ防護カバーであって、
軟弾性の素材からなる屈曲自在なシート本体から形成され、その中央部に前記シート本体を断面円弧状に湾曲させたときその中心軸線に沿うように開設される複数のスリットを設け、
前記支柱の接続部の外周面に前記各スリット間の短冊状片部が前記フランジの上側面に対し直交するように前記シート本体を配置すると共に、前記フランジの外周縁に合わせて前記各短冊状片部が外側へ湾曲するようにして前記シート本体を該フランジに覆設したことを特徴とするフランジ防護カバー。
【請求項２】
前記シート本体に該シート本体を前記フランジに覆設したときその周方向に沿って並ぶように複数のバンド挿通孔を開設し、前記各バンド挿通孔に締付用バンドを挿通して締め止めするようにした請求項１記載のフランジ防護カバー。
【発明の詳細な説明】
【技術分野】
【０００１】
本発明は、ゴルフ練習場やバッティングセンターにおいて、その練習場の周囲を囲うネットを支持するコンクリート製の支柱の接続部に被着されるフランジ防護カバーに関するものである。
【背景技術】
【０００２】
従来、市街地や郊外に存在するゴルフ練習場及びバッティングセンターにあっては、その練習場の周囲にネットを張り巡らし、遊技者が練習して打ったゴルフボールや野球のボールが練習場の外に飛び出さないようにしている。特に、これらゴルフボールや野球のボールは上方へ高く飛ぶ場合が多いことから、ネットの高さもその分高くしてある。このネットは該ネットに沿って所定の間隔離して立設される支柱により支持される。支柱としてはコンクリート製のものがあり、該支柱は高さが高いため途中で継ぎ足すようにしている。
【０００３】
すなわち、前記支柱には、例えば、コンクリート製の所定長さの単位支柱をそれぞれ複数本接続してなり、各単位支柱の上端外周面又は下端外周面にそれぞれフランジを周設し、両フランジに互いに連通する複数のボルト挿通孔を開設している。そして、両フランジを上下方向で重ねた状態で、連通する各ボルト挿通孔にボルトを挿通すると共に該各ボルトにナットを螺締めして両フランジを接続している。これにより各支柱が形成される（例えば、特許文献１参照。）。
【先行技術文献】
【特許文献】
【０００４】
【特許文献１】特開２００８−１０１３２５号公報（第５−８頁。図２）
【発明の概要】
【発明が解決しようとする課題】
【０００５】
しかしながら、前記特許文献１に示すような従来のコンクリート製の支柱にあっては、接続部であるフランジの各ボルトの頭部や先端部、更にはナットが外部に露出しており、しかも、支柱にネットが纏わりついているので、ネットが風によって煽られるとネットの目が前記ボルトやナットに引っ掛かり、そこからネットが破損して穴が開き、引いてはその穴からゴルフボールや野球のボールが外へ飛び出してしまうといった課題が有った。
【０００６】
そこで、本発明は上記課題を解決すべくなされたもので、支柱の接続部すなわちボルト締めされたフランジを覆うようにしてネットの接触を防ぎ該ネットが破損しないようにしたフランジ防護カバーを提供することを目的とするものである。
【課題を解決するための手段】
【０００７】
かかる目的を達成するために、本発明のフランジ防護カバーは、下部支柱の上端外周面と上部支柱の下端外周面にそれぞれ周設されボルト締めすることにより接続されるフランジに覆設するフランジ防護カバーであって、軟弾性の素材からなる屈曲自在なシート本体から形成され、その中央部に前記シート本体を断面円弧状に湾曲させたときその中心軸線に沿うように開設される複数のスリットを設け、前記支柱の接続部の外周面に前記各スリット間の短冊状片部が前記フランジの上側面に対し直交するように前記シート本体を配置すると共に、前記フランジの外周縁に合わせて前記各短冊状片部が外側へ湾曲するようにして前記シート本体を該フランジに覆設したことを特徴とする。
【０００８】
この際、前記シート本体に該シート本体を前記フランジに覆設したときその周方向に沿って並ぶように複数のバンド挿通孔を開設し、前記各バンド挿通孔に締付用バンドを挿通して締め止めするようにすることが好ましい。
【発明の効果】
【０００９】
本発明に係るフランジ防護カバーは、軟弾性の素材からなる屈曲自在なシート本体から形成され、その中央部にシート本体を断面円弧状に湾曲させたとき、その中心軸線に沿うように開設される複数のスリットを設けて構成される。そして、支柱の接続部の外周面に各スリット間の短冊状片部がフランジの上側面に対し直交するようにシート本体を配置すると共に、フランジの外周縁に合わせて各短冊状片部が外側へ湾曲するようにしてシート本体を該フランジに覆設することにより、フランジの外周縁に合わせて各短冊状片部が外側へ湾曲してボルト締めしたフランジを覆うことになる。よって、風によってネットが煽られても、該ネットが直接にボルトやナットに接触することがなくなり、ネットの破損が防止されるという効果が有る。また、各スリットの長さによって各短冊状片部が外側へ湾曲する度合いが異なるので、フランジの外径の異なる支柱にも十分に使用して対応でき、至便であるという効果も有る。
【００１０】
また、前記シート本体に該シート本体をフランジに覆設したときその周方向に沿って並ぶように複数のバンド挿通孔を開設し、該各バンド挿通孔に締付用バンドを挿通して締め止めするようにすれば、フランジ防護カバーが締付用バンドによって支柱にしっかりと被着され外れることがなく、長期に亘り使用できるという効果が有る。
【図面の簡単な説明】
【００１１】
【図１】本発明に係るフランジ防護カバーの展開斜視図。
【図２】ネットを取着する前の支柱の接続部の斜視図。
【図３】支柱の接続部にフランジ防護カバーを覆設した状態の表面斜視図。
【図４】支柱の接続部にフランジ防護カバーを覆設した状態の裏面斜視図。
【図５】支柱の接続部にフランジ防護カバーを覆設した状態の側面断面図。
【発明を実施するための形態】
【００１２】
以下、本発明に係るフランジ防護カバーの最良の実施の形態について説明する。図１は本発明に係るフランジ防護カバーの展開斜視図である。該フランジ防護カバーＡは、例えばポリエチレン、塩化ビニル、ゴム、合成ゴムといった軟弾性の素材からなる方形状のシート本体１からなり、屈曲自在に形成されている。そして、その中央部に前記シート本体１を断面円弧状に湾曲させたとき、その中心軸線に沿うようにして複数本の直線状のスリット２が開設されている。よって、この場合は複数のスリット２は、方形状のシート本体１における対向する一方の両側端縁１ａ，１ａと直交し、対向する他方の両側端縁１ｂ，１ｂと平行をなす。シート本体１の外形形状は方形状に限らず、円形、楕円形、正六角形等のその他の形状であっても良い。
【００１３】
前記各スリット２は平行に開設されその間隔は同じであって、しかも、長さも同じである。各スリット２間には、短冊状片部３が形成される。これら短冊状片部３が、後記するコンクリート製の支柱２０の接続部に設けられるフランジ２１，２２を覆うことになる。各スリット２両側の終端には、それぞれ該スリット２と連通する円形状の切り裂け防止孔４，４が設けられている。これはシート本体１を屈曲させるのに伴い各スリット２の終端が更に裂かれて広がるのを防止するためである。これにより各スリット２の長さ、換言すれば短冊状片部３の長さ、が常に一定に保たれる。
【００１４】
前記シート本体１の所定位置、すなわち、複数のスリット２の長手方向に沿った両外側位置と、同じく複数のスリット２の長手方向に沿った方向であってシート本体１の両側端縁１ａ，１ａに沿って、バンド挿通孔５が複数個（４個）開設されている。これらバンド挿通孔５には後記する締付用バンド２６が挿通され、フランジ防護カバーＡがコンクリート製の支柱２０に取付けられることになる。
【００１５】
次に、ゴルフ練習場またはバッティングセンターでその周囲を囲うように張り巡らされるネットを支持する支柱について説明する。図２はネットを取着する前の支柱の接続部の斜視図であり、該支柱２０は、コンクリート製であって途中で上下方向に２分割されている。そして、下部支柱２０ａの上端に該下部支柱２０ａの外径よりも大径のフランジ２１が周設され、上部支柱２０ｂの下端にも該上部支柱２０ｂの外径よりも大径のフランジ２２が周設されている。これらフランジ２１，２２には、互いに連通するボルト挿通孔２３，２３が周方向に沿って複数個開設される。下部支柱２０ａの上に上部支柱２０ｂを重ね、両フランジ２１，２２を重ね合わせて連通するボルト挿通孔２３，２３にそれぞれ上からボルト２４を挿通すると共に下部支柱２０ｂのフランジ２１の下面で各ボルト２４にナット２５を螺締する。これにより、支柱２０が形成される。
【００１６】
本発明は上記構成からなり、本発明のフランジ防護カバーの使用方法について説明する。図３、図５に示すように支柱２０の接続部の外周面、すなわちフランジ２１，２２の外周面、に前記各スリット２間の各短冊状片部３がフランジ２１，２２の上側面に対し直交するようにしてフランジ防護カバーＡ（シート本体１）を配置する。そして、フランジ２１，２２の外周縁に合わせて各短冊状片部３を外側へ湾曲させる。この状態で、その周方向に並んだ各バンド挿通孔５に順次金属製の締付用バンド２６を挿通する。詳しくは、周方向に並んだ４個のバンド挿通孔５のうち初めのバンド挿通孔５には外側から挿通し、その後順に各バンド挿通孔５に挿通する。以下同様にして、各バンド挿通孔５に締付用バンド２６を挿通する。
【００１７】
バンド挿通孔５に挿通した各締付用バンド２６の両端部は、そのまま支柱２０の外周面に沿って巻回し、その両端を強く締め止めする。ネット２７は、支柱２０の上端部に設けられた掛止部（図示せず。）に掛止する。図４に示すようにフランジ防護カバーＡは支柱２０の周面全体を覆うのではなく、ネット２７が接触する側のみに取着される。これにより、フランジ２１，２２がフランジ防護カバーＡの短冊状片部３により完全に覆われ、ネット２７がフランジ２１、２２のボルト２４及びナット２５に直接に接触することがなくなる。
【００１８】
このように、本発明に係るフランジ防護カバーＡは、軟弾性の素材からなる屈曲自在なシート本体１から形成され、その中央部にシート本体１を断面円弧状に湾曲させたときその中心軸線に沿うように開設される複数のスリット２を設けて構成される。そして、コンクリート製の支柱２０の接続部の外周面に各スリット２間の短冊状片部３がフランジ２１，２２の上側面に対し直交するようにしてシート本体１を配置すると共に、フランジ２１，２２の外周縁に合わせて各短冊状片部３が外側へ湾曲するようにシート本体１を該フランジ２１，２２に覆設する。よって、風によってネット２７が煽られても該ネット２７が直接にボルト２４やナット２５に接触することがなくなり、ネット２７の破損が防止される。また、各スリット２の長さによって各短冊状片部３が外側へ湾曲する度合いが異なるので、フランジ２１，２２の外径の異なる支柱２０にも十分に使用して対応でき、至便である。
【００１９】
また、前記シート本体１に該シート本体１をフランジ２１，２２に覆設したとき、その周方向に沿って並ぶように複数のバンド挿通孔５を開設し、該各バンド挿通孔５に締付用バンド２６を挿通して締め止めするようにすれば、フランジ防護カバーＡが締付用バンド２６によって支柱２０にしっかりと覆設され外れることがなく、長期に亘り使用できる。
【符号の説明】
【００２０】
１              シート本体
１ａ            側端縁
１ｂ            側端縁
２              スリット
３              短冊状片部
４              切り裂け防止孔
５              バンド挿通孔
２０            支柱
２０ａ          下部支柱
２０ｂ          上部支柱
２１            フランジ
２２            フランジ
２３            ボルト挿通孔
２４            ボルト
２５            ナット
２６            締付用バンド
２７            ネット
Ａ              フランジ防護カバー
【図１】
2011177466.tif 000003
【図２】
2011177466.tif 000004
【図３】
2011177466.tif 000005
【図４】
2011177466.tif 000006
【図５】
2011177466.tif 000007